(57)【要約】【課題】ＵＷＢ受信装置用のシンボルタイミングウィンドウの定義づけおよび信号を捕捉するための装置および方法を提供する。【解決手段】本発明は、シンボルタイミングウィンドウの起点をプリセット時間Ｔだけ遅らせることを特徴とし、シンボルタイミングウィンドウによって、連続したシンボル信号を受け取り、個々の受信シンボル信号は、プリフィックス信号と、受信データ信号と、ガード信号と、からなり、プリフィックス信号の時間はＴ１−Ｔであり、ガード信号の時間はＴ２＋Ｔであり、Ｔ、Ｔ１、Ｔ２の間にはＴ≦Ｔ１−Ｔ２の関係があり、さらに、受信データ信号およびガード信号を捕捉し、ガード信号を受信データ信号に付加し、付加された受信データ信号を出力する。【選択図】図１
2006211034.tif 000002
【特許請求の範囲】
【請求項１】
超広帯域（ＵＷＢ）受信装置に適合し、前記ＵＷＢ受信装置は、ＵＷＢ送信装置から送信される一連の多帯域直交周波数分割マルチプレクシング（ＭＢ  ＯＦＤＭ）シンボル信号を受信し、個々の前記ＭＢ  ＯＦＤＭシンボル信号は、ゼロパッディッドプリフィックスと、データ信号と、ガードインターバルと、からなり、前記ゼロパッディッドプリフィックスの時間はＴ１であり、前記ガードインターバルの時間はＴ２であり、Ｔ１はＴ２よりも大きく、前記ＭＢ  ＯＦＤＭシンボル信号の合計時間はＴ３であるところの、次の２段階からなる、シンボルタイミングウィンドウの定義づけおよび信号を捕捉するための方法であって、
前記ゼロパッディッドプリフィックスの起点からプリセット時間Ｔだけ時間を遅らせ、前記シンボルタイミングウィンドウの起点とし、前記シンボルタイミングウィンドウの時間をＴ３とし、前記シンボルタイミングウィンドウによって、複数の受信シンボル信号を受け取り、個々の受信シンボル信号は、プリフィックス信号と、受信データ信号と、ガード信号と、からなり、前記プリフィックス信号の時間はＴ１−Ｔであり、前記ガード信号の時間はＴ２＋Ｔであり、Ｔ、Ｔ１、Ｔ２の間にはＴ≦Ｔ１−Ｔ２の関係があり、
前記受信データ信号および前記ガード信号を捕捉し、前記ガード信号を前記受信データ信号の先頭部分に付加し、前記付加された受信データ信号を出力すること、
を特徴とするシンボルタイミングウィンドウの定義づけおよび信号を捕捉するための方法。
【請求項２】
請求項１に記載のシンボルタイミングウィンドウの定義づけおよび信号を捕捉するための方法において、Ｔ＝Ｔ１−Ｔ２であり、すなわち、前記プリフィックス信号の時間はＴ２であり、前記ガード信号の時間はＴ１であることを特徴とするシンボルタイミングウィンドウの定義づけおよび信号を捕捉するための方法。
【請求項３】
ＭＢ  ＯＦＤＭ受信装置に適合し、前記ＭＢ  ＯＦＤＭ受信装置のアンテナは、ＭＢ  ＯＦＤＭ送信装置から送信される複数のＭＢ  ＯＦＤＭシンボル信号を受信し、個々の前記ＭＢ  ＯＦＤＭシンボル信号は、ゼロパッディッドプリフィックスと、データ信号と、ガードインターバルと、からなり、前記ゼロパッディッドプリフィックスの時間はＴ１であり、前記ガードインターバルの時間はＴ２であり、Ｔ１はＴ２よりも大きく、前記ＭＢ  ＯＦＤＭシンボル信号の合計時間はＴ３であるところの信号捕捉装置であって、
複数のセントラル周波数信号の一つを発生する周波数ホッピングジェネレーターと、
前記周波数ホッピングジェネレーターに接続され、前記アンテナからの出力と前記周波数ホッピングジェネレーターからの出力の周波数を混合する周波数ミキサーと、
前記周波数ミキサーの出力端子に接続されるアナログ／デジタル変換器と、
前記アナログ／デジタル変換器の出力端子に接続され、受信データ信号およびガード信号を捕捉し、前記ガード信号を前記受信データ信号の先頭部分に付加し、前記付加された受信データ信号を出力し、ここで、前記信号捕捉装置は、前記ゼロパッディッドプリフィックスの起点をプリセット時間Ｔだけ遅らせ、前記シンボルタイミングウィンドウの起点とし、前記シンボルタイミングウィンドウの時間はＴ３であり、前記周波数ホッピングジェネレーターは、前記シンボルタイミングウィンドウの起点においてセントラル周波数信号を切り替え、前記シンボルタイミングウィンドウの間、同一のセントラル周波数信号が出力され、それにより、複数の受信シンボル信号を受け取り、個々の受信シンボル信号は、プリフィックス信号と、受信データ信号と、ガード信号と、からなり、前記プリフィックス信号の時間はＴ１−Ｔであり、前記ガード信号の時間はＴ２＋Ｔであり、Ｔ、Ｔ１、Ｔ２の間にはＴ≦Ｔ１−Ｔ２の関係があるところのシンボルタイミングウィンドウキャプチャラーと、
を有することを特徴とする信号捕捉装置。
【発明の詳細な説明】
【技術分野】
【０００１】
本発明は、信号捕捉の方法およびその装置に関する。より詳しくは、多帯域直交周波数分割マルチプレクシング超広帯域受信装置（ＭＢ  ＯＦＤＭ  Ｕｌｔｒａ−Ｗｉｄｅ  Ｂａｎｄ  ｒｅｃｅｉｖｅｒ）を用いる信号捕捉の方法およびその装置に関する。
【背景技術】
【０００２】
超広帯域（ＵＷＢ）技術は、現在、短距離の無線データ送受信に用いられている無線通信技術である。前記ＵＷＢ技術は、低消費電力と、高伝送速度と、および低コストの優位性から、高品質、大容量の無線通信に応用可能である。前記ＵＷＢ技術を応用した無線通信により、家庭あるいはオフィスにあるデジタル機器間の高速通信が利用しやすく便利なものになっている。さらに、前記ＵＷＢ技術は、ワイヤレスパーソナルエリアネットワーク（ＷＰＡＮｓ）に利用され、高品質画像と、音楽と、および大容量データの伝送などの短距離通信サービスを提供できる。また前記ＵＷＢ技術は、ワイヤレスローカルエリアネットワーク（ＷＬＡＮｓ）と、ホームネットワークと、および短距離用レーダーとしても利用可能である。
【０００３】
前記ＵＷＢ無線通信技術において、高速フーリエ変換（ＦＦＴ）後の直交性を維持するため、およびマルチパスフェイディングを改善するために用いられている従来技術は以下の２つの方法からなる。１つの方法は、前記ＦＦＴの前記周波数信号にサイクリックプリフィックスを付加することである。しかしながら、この方法は、のこぎり歯型の高調波損失を生じやすい。送信装置から発生する前記周波数信号の前記のこぎり歯型の高調波損失を除去するために、前記サイクリックプリフィックスを付加する代わりに、ゼロパッディッドプリフィックスを付加することにより、前記マルチパスフェイディングおよび信号の高調波損失が除去される。
【０００４】
前記多帯域直交周波数分割マルチプレクシング（ＭＢ  ＯＦＤＭ）システムでは、前記周波数は１４の帯域に分割される。個々の帯域の帯域幅は約５２８ＭＨｚである。前記帯域は３．１ＧＨｚおよび１０．６ＧＨｚの間で連続して割り当てられ、一連のＯＦＤＭシンボル信号を対応する帯域に送信する。前記ＵＷＢ送信装置の仕様では、ＯＦＤＭシンボル信号の信号時間は、１６５サンプリングタイムに対して約３１２．５ｎｓであり、その内訳は、３２サンプリングタイムに対して６０．６ｎｓの前記ゼロパッディッドプリフィックスと、１２８サンプリングタイムに対して２４２．４ｎｓのデータ信号と、５サンプリングタイムに対して約９．５ｎｓの異なる帯域に切り替えるためのガードインターバルと、からなる。
【０００５】
情報理論によれば、受信信号がサーキュラーコンボルーションキャラクタリスティックを有する場合に限り、正常にＦＦＴを実行することができる。前記サーキュラーコンボルーションキャラクタリスティックがチャンネルトランスミッションの間に崩れた場合、それをチャンネル効果と呼ぶ。前記ＵＷＢ受信装置では、正常な動作をおこなうために、前記チャンネルにおいて発生した前記チャンネル効果が前記受信信号の先頭部分にコピーされる必要がある。
【０００６】
上記の設計仕様においては、前記ガードインターバルはわずか約９．５ｎｓである点に注目すべきである。このような短いガードインターバルでは、前記受信信号の前記直交性を維持することができない。すなわち、前記チャンネル効果がコピーされ前記受信信号の先頭部分に付加される時、前記ガードインターバルは短かすぎて、前記信号およびチャンネルの前記サーキュラーコンボルーションにより引き起こされる前記効果の範囲全体をカバーすることができない。この現象は前記信号の前記高調波損失を引き起こす。したがって、いかに完全に前記チャンネル効果を前記受信信号にコピーするか、それにより前記ＦＦＴが正常に実行されるようにできるかが、前記信号の品質を高く保つために非常に重要である。
【０００７】
前記ＵＷＢ受信装置では、タイムドメインデスプレッディングオペレーションのための特別な技術が求められる。従来のデスプレッディング回路は前記送信装置の前記スプレッディング回路とは異なったものである。このように異なった前記送信装置のスプレッディング回路を製造するにはコストの増加がともなう。さらに、前記従来の受信装置のチャンネル補償メカニズムがさらに複雑なものになる。エラーが起こりやすく、前記受信装置は正常に動作できない。
【発明の開示】
【発明が解決しようとする課題】
【０００８】
したがって、本発明は、シンボルタイミングウィンドウの定義づけの方法および信号捕捉の方法に関する。前記方法は超広帯域（ＵＷＢ）受信装置に適合する。前記シンボルタイミングウィンドウの起点を再定義することにより、従来の技術が直面していた待機時間が短いという問題点を克服できる。
【０００９】
また、本発明は、信号捕捉装置に関する。前記装置はＵＷＢ受信装置に適合する。前記シンボルタイミングウィンドウの起点を再定義することにより、従来の技術が直面していた待機時間が短いという問題点を克服できる。
【課題を解決するための手段】
【００１０】
本発明の目的は、シンボルタイミングウィンドウの定義づけの方法および信号捕捉の方法を提供することである。前記方法は超広帯域（ＵＷＢ）受信装置に適合する。前記ＵＷＢ受信装置は、ＵＷＢ送信装置から送信される一連の多帯域直交周波数分割マルチプレクシング（ＭＢ  ＯＦＤＭ）シンボル信号を受信する。個々の前記ＭＢ  ＯＦＤＭシンボル信号は、ゼロパッディッドプリフィックスと、データ信号と、ガードインターバルと、からなり、前記ゼロパッディッドプリフィックスの時間はＴ１であり、前記ガードインターバルの時間はＴ２である。Ｔ１はＴ２よりも大きく、前記ＭＢ  ＯＦＤＭシンボル信号の合計時間はＴ３である。前記シンボルタイミングウィンドウの定義づけの方法および前記信号の捕捉方法は次の２段階からなり
前記ゼロパッディッドプリフィックスの起点の位置からプリセット時間Ｔだけ時間を遅らせ、前記シンボルタイミングウィンドウの起点とし、その時の前記シンボルタイミングウィンドウの時間をＴ３とし、前記シンボルタイミングウィンドウによって、複数の受信シンボル信号を受け取り、個々の受信シンボル信号は、プリフィックス信号と、受信データ信号と、ガード信号と、からなり、前記プリフィックス信号の時間はＴ１−Ｔであり、前記ガード信号の時間はＴ２＋Ｔであり、Ｔ、Ｔ１、Ｔ２の間にはＴ≦Ｔ１−Ｔ２の関係があり、
前記受信データ信号および前記ガード信号を捕捉し、前記ガード信号を前記受信データ信号の先頭部分に付加し、前記付加された受信データ信号を出力する。
【００１１】
本発明の一実施例によれば、前記ＵＷＢ受信装置はＭＢ  ＯＦＤＭ受信装置である。前記ＭＢ  ＯＦＤＭは前記シンボルタイミングウィンドウの起点において帯域を切り替え、前記シンボルタイミングウィンドウの間は同一の帯域を保持する。
【００１２】
本発明の目的は、信号捕捉装置を提供することである。前記装置は超広帯域（ＵＷＢ）受信装置に適合する。前記ＭＢ  ＯＦＤＭ受信装置のアンテナは、ＭＢ  ＯＦＤＭ送信装置から送信される複数のＭＢ  ＯＦＤＭシンボル信号を受信する。個々の前記ＭＢ  ＯＦＤＭシンボル信号は、ゼロパッディッドプリフィックスと、データ信号と、ガードインターバルと、からなり、前記ゼロパッディッドプリフィックスの時間はＴ１であり、前記ガードインターバルの時間はＴ２である。Ｔ１はＴ２よりも大きく、前記ＭＢ  ＯＦＤＭシンボル信号の合計時間はＴ３である。前記信号捕捉装置は、周波数ホッピングジェネレーターと、周波数ミキサーと、アナログ／デジタル変換器と、シンボルタイミングウィンドウキャプチャラーと、からなる。前記周波数ホッピングジェネレーターは、複数のセントラル周波数信号の一つを発生する。前記周波数ミキサーは、前記周波数ホッピングジェネレーターに接続され、前記アンテナからの出力と前記周波数ホッピングジェネレーターからの出力の周波数を混合する。前記アナログ／デジタル変換器は、前記周波数ミキサーの出力端子に接続される。前記シンボルタイミングウィンドウキャプチャラーは、前記アナログ／デジタル変換器の出力端子に接続され、受信データ信号およびガード信号を捕捉し、前記ガード信号を前記受信データ信号の先頭部分に付加し、前記付加された受信データ信号を出力する。ここで、前記信号捕捉装置は、プリセット時間Ｔだけ前記ゼロパッディッドプリフィックスの起点を遅らせ、前記シンボルタイミングウィンドウの起点とする。前記シンボルタイミングウィンドウの時間はＴ３である。前記周波数ホッピングジェネレーターは、前記シンボルタイミングウィンドウの起点においてセントラル周波数信号を切り替える。前記シンボルタイミングウィンドウの間、同一のセントラル周波数信号が出力され、それにより、前記シンボルタイミングウィンドウキャプチャラーは、複数の受信シンボル信号を受け取る。個々の受信シンボル信号は、プリフィックス信号と、受信データ信号と、ガード信号と、からなる。前記プリフィックス信号の時間はＴ１−Ｔであり、前記ガード信号の時間はＴ２＋Ｔであり、Ｔ、Ｔ１、Ｔ２の間にはＴ≦Ｔ１−Ｔ２の関係がある。
【００１３】
本発明の一実施例によれば、プリセット時間Ｔは、例えばＴ１−Ｔ２であってもよい。その場合には、前記プリフィックス信号の時間はＴ２であり、前記ガード信号の時間はＴ１である。
【発明の効果】
【００１４】
本発明の信号捕捉装置およびその方法は、前記シンボルタイミングウィンドウの起点を変更する。本発明では、６０．６ｎｓの前記プリパッディッドプリフィックスの起点を、９．５ｎｓの前記ガードインターバルの起点に変更する。本発明では、９．５ｎｓの後、２４２．４ｎｓの前記受信データ信号を捕捉し、引き続き高速フーリエ変換（ＦＦＴ）を実行する。前記ＵＷＢ受信装置では、前記チャンネル効果が起こった後、前記受信データ信号の先頭部分にコピーされ、それにより、前記受信データ信号の直交性が保たれ、前記ＦＦＴは正確に実行される。
【００１５】
上記および上記以外の本発明の特徴の理解は、添付図面とあわせて以下の本発明の実施例の詳細な説明を読めば、いっそう深まるであろう。ここで注意を要するのは、「接続する」という言葉が、２つのデバイスが互いに直接に接続されている、または、２つのデバイスが第３のデバイスを介して互いに接続されている、ということを意味する点である。通例、前記第３のデバイスは従来のデバイスであり、以下の実施例の図の中には示されない。
【発明を実施するための最良の形態】
【００１６】
図１は、本発明の一実施例のシンボルタイミングウィンドウの定義づけの方法および信号捕捉の方法を示す略図である。図２は、本発明の一実施例の超広帯域（ＵＷＢ）受信装置のブロック図である。
【００１７】
図１について説明する。多帯域直交周波数分割マルチプレクシング（ＭＢ―ＯＦＤＭ）データ送受信システムの実施例では、複数の連続したＯＦＤＭシンボル信号１０２および１０４が、図２に示されるＵＷＢ受信装置２００に送信される。その際、無線通信技術の搬送波の高周波データ伝送を利用したマルチパスチャンネル１０６を介して送信される。また、個々のＯＦＤＭシンボル信号１０２および１０４は帯域の一つに対応する。個々のＯＦＤＭシンボル信号は、３２サンプリングタイムに対して６０．６ｎｓのゼロパッディッドプリフィックス（ＺＰ）と、１２８サンプリングタイムに対して２４２．４ｎｓのデータ信号（ＳＹ）と、５サンプリングタイムに対して９．５ｎｓの帯域切り替えのためのガードインターバル（ＧＩ）と、からなる。
【００１８】
ＵＷＢ受信装置２００は、定義時間およびシンボルタイミングウィンドウの起点にしたがって、ＯＦＤＭシンボル信号１０２および１０４を受信する。個々のシンボルタイミングウィンドウの起点は、複数の連続したシンボル信号２０２および２０４を受信するための帯域の切り替え機能を果たす。個々のシンボル信号２０２および２０４は、プリフィックス信号ＰＳと、受信データ信号ＲＳと、ガード信号ＧＳと、からなる。従来技術では、６０．６ｎｓのゼロパッディッドプリフィックスＺＰが、ＵＷＢ受信装置２００によりシンボル信号２０２および２０４を受信するための起点の機能を果たす。ＺＰは、シンボルタイミングウィンドウの最初の起点であり、図１に破線Ａ０で示されている。従来技術と異なり、本発明では、６０．６ｎｓのゼロパッディッドプリフィックスＺＰの起点をプリセット時間Ｔだけ遅らせ、シンボルタイミングウィンドウの新しい起点とし、図１において実線で示す。Ｔ１はゼロパッディッドプリフィックスＺＰの時間を表し、Ｔ２はガードインターバルＧＩを表す。個々の受信シンボル信号２０２および２０４のプリフィックス信号ＰＳの時間はＴ１からＴ１−Ｔに減少する。個々の受信シンボル信号２０２および２０４のガード信号ＧＳの時間はＴ２からＴ２＋Ｔに増加する。シンボルタイミングウィンドウ全体の時間Ｔ３は一定で変化しない。すなわち、個々のＯＦＤＭシンボル信号１０２および１０４の全体の時間はそれぞれ３１２．５ｎｓである。
【００１９】
ゼロパッディッドプリフィックスＺＰおよびガードインターバルＧＩは、データ信号伝送には役立っていない。しかしながら、受信装置のガード機能として働いている。したがって、ゼロパッディッドプリフィックスＺＰの起点が、個々の受信シンボル信号２０２および２０４の起点として役に立っていないとしても、ＵＷＢ受信装置２００には影響しない。ＵＷＢ受信装置２００に対してプリセット時間Ｔだけ遅らせると、新しいシンボルタイミングウィンドウでは、受信データ信号ＲＳの後の９．５ｎｓのガードインターバルＧＩがＴ２＋Ｔに増加する。それにより、受信データ信号ＲＳの末端部に生じたチャンネル効果のテール２０６を捕捉することができる。本実施例では、プリフィックス信号ＰＳの時間はＴ１−Ｔであり、例えば９．５ｎｓである。ガード信号ＧＳの時間は、例えば６０．６ｎｓでもよい。すなわち、本発明の本実施例では、９．５ｎｓのガードインターバルＧＩを６０．６ｎｓのゼロパッディッドプリフィックスＺＰと交換することを意味する。プリフィックス信号ＰＳの時間はもっと大きくてもよいし、または９．５ｎｓに等しくてもよい。ガード信号ＧＳは６０．６ｎｓよりも小さくてもよい。
【００２０】
図２について説明する。上記のシンボルタイミングウィンドウの定義づけの方法および信号捕捉の方法をＵＷＢ受信装置２００に適用し、データ捕捉機能を実行させる。新たに創り出されたシンボルタイミングウィンドウは、ガードインターバルＧＩが短かったことにより生じていた従来の課題を解決することができる。図２に示したように、信号捕捉装置２１０は、周波数ホッピングジェネレーター２２０と、周波数ミキサー２３０と、アナログ／デジタル変換器２４０と、シンボルタイミングウィンドウキャプチャラー２５０と、からなる。ＵＷＢ受信装置２００のアンテナ２０８は、図示されていないＵＷＢ送信装置から送信される複数の連続したＯＦＤＭシンボル信号１０２および１０４を受信する。ＯＦＤＭシンボル信号１０２および１０４は、周波数ミキサー２３０に入力され、そこで周波数ホッピングジェネレーター２２０で発生されるセントラル周波数と周波数混合され、それにより搬送波が除去され、ＯＦＤＭシンボル信号そのものが取り出される。その後、周波数ミキサー２３０の出力は、アナログ／デジタル変換器２４０に送られ、デジタル信号に変換される。シンボルタイミングウィンドウキャプチャラー２５０は、アナログ／デジタル変換器２４０の出力を受け取り、ゼロパッディッドプリフィックスＺＰおよびガードインターバルＧＩを除去する。シンボルタイミングウィンドウキャプチャラー２５０は、受信データ信号ＲＳの先頭部分にガード信号ＧＳを付加し、付加された受信データ信号ＲＳを出力する。
【００２１】
上述のように、信号捕捉装置２１０は、ゼロパッディッドプリフィックスＺＰの起点をプリセット時間Ｔだけ遅らせ、シンボルタイミングウィンドの起点とする。周波数ホッピングジェネレーター２２０は、シンボルタイミングウィンドの起点においてセントラル周波数信号を切り替え、シンボルタイミングウィンドの間は同一のセントラル周波数信号を維持する。シンボルタイミングウィンドウキャプチャラー２５０は、シンボルタイミングウィンドによって、複数の連続した受信シンボル信号２０２および２０４を受け取る。個々の受信シンボル信号は、図１に示したように、プリフィックス信号ＰＳと、受信データ信号ＲＳと、ガード信号ＧＳと、からなる。プリフィックス信号ＰＳの時間はＴ１−Ｔであり、ガード信号ＧＳの時間はＴ２＋Ｔであり、Ｔ、Ｔ１、Ｔ２の間にはＴ≦Ｔ１−Ｔ２の関係がある。したがって、受信シンボル信号２０２および２０４の直交性を実質的に維持することが可能である。
【００２２】
受信シンボル信号２０２および２０４のサーキュラーコンボルーションにより、引き続き実行される高速フーリエ変換（ＦＦＴ）では信号の高調波損失を起こさず、データ伝送の品質が維持される。高速フーリエ変換器２６０の後、信号はタイムドメインデスプレッディング装置２７０およびチャンネルイコライザー２８０により処理される。チャンネルイコライザー２８０は、通例、インターシンボルインターフィアランス（ＩＳＩ）により生じる高調波損失を補正する。信号伝送出力を増加させたり、およびチャンネルの帯域幅を増加させたりすること無く、受信信号の振幅および遅延を補正することで、伝送チャンネルの品質を向上することができる。
【００２３】
図３は、パケットエラーレート（ＰＥＲ）とＳ／Ｎ比（Ｅb／Ｎo）の間の関係を示す曲線である。シミュレーションによると、伝送速度２００ＭｂｐｓのＭＢ  ＯＦＤＭのＵＷＢシステムのＰＥＲは、アッディドホワイトガウスノイズ（ＡＷＧＮ）環境下でのＵＷＢの仕様要件、およびＵＷＢチャンネルＣＭ  １−４の仕様要件を満たすことが可能である。
【００２４】
したがって、本発明の信号捕捉装置およびその方法は、シンボルタイミングウィンドウの起点を変更する。本発明では、６０．６ｎｓのプリパッディッドプリフィックスの起点を、９．５ｎｓのガードインターバルの起点に変更する。本発明では、９．５ｎｓの後、２４２．４ｎｓの受信データ信号を捕捉し、引き続き高速フーリエ変換（ＦＦＴ）を実行する。ＵＷＢ受信装置では、チャンネル効果が起こった後、受信データ信号の先頭部分にコピーされ、それにより、受信データ信号の直交性が保たれ、ＦＦＴは正確に実行される。
【００２５】
模範的な実施例について本発明を説明したが、本発明はそれに限定されるものではなく、添付クレームは、本発明の相当物の範囲を逸脱することなく当業者によってなされる本発明のその他の変形および実施例を含み、広く構成されるものである。
【図面の簡単な説明】
【００２６】
【図１】本発明の一実施例のシンボルタイミングウィンドウの定義づけの方法および信号捕捉の方法を示す略図である。
【図２】本発明の一実施例の超広帯域（ＵＷＢ）受信装置のブロック図である。
【図３】パケットエラーレート（ＰＥＲ）とＳ／Ｎ比（Ｅb／Ｎo）の間の関係を示す曲線である。
【符号の説明】
【００２７】
１     チャンネル
２     チャンネル
３     チャンネル
４     チャンネル
１０２ シンボル信号
１０６ マルチパスチャンネル
２００ 受信装置
２０２ 受信シンボル信号
２０６ テール
２０８ アンテナ
２１０ 信号捕捉装置
２２０ 周波数ホッピングジェネレーター
２３０ 周波数ミキサー
２４０ デジタル変換器
２５０ シンボルタイミングウィンドウキャプチャラー
２６０ 高速フーリエ変換器
２７０ タイムドメインデスプレッディング装置
２８０ チャンネルイコライザー
ＰＳ   プリフィックス信号
ＲＳ   受信データ信号
Ｔ     プリセット時間
Ｔ２   ガードインターバルの時間
Ｔ３   ＭＢ  ＯＦＤＭシンボル信号の合計時間
【図１】
2006211034.tif 000003
【図２】
2006211034.tif 000004
【図３】
2006211034.tif 000005